(57)【要約】  【課題】  塗布芯の塗布部に使用に伴う横方向の力が加わっても塗布芯がぐらついて不安定となる事態を有効に回避できる塗布具を提供する。  【解決手段】  液状物１０が収容される収容部１０１を有する容器１と、この容器１の先端内部によって外側から支持され、収容部１０１内から連通する連通孔２３であって先端側に向けて延びるものを有する塗布芯２とを備えた塗布具であって、容器１が液状物１０を収容部１０１内から先端側に向けて誘導する誘導管１０２であって後側から連通孔２３内に挿嵌されたものを有しており、この誘導管１０２によって塗布芯２が後側から支持されている塗布具である。【選択図】  図１
2006068297.tif 000002
【特許請求の範囲】
【請求項１】
液状物が収容される収容部を有する容器と、この容器の先端内部によって外側から支持され、収容部内から連通し先端側に向けて延びる連通孔を有する塗布芯とを備えた塗布具であって、
前記容器は、先端側に向けて延出され後側から連通孔内に挿嵌された、液状物を誘導するための誘導管を有しており、この誘導管によって塗布芯が後側から支持されていることを特徴とする塗布具。
【請求項２】
前記塗布芯がその先端部である塗布部への液状物の供給を前記連通孔における液状物の移動及び連通孔内から浸透した液状物の塗布芯中における浸透を通じて行う浸透性の塗布芯である場合において、
前記連通孔内に嵌挿された誘導管によって連通孔内から塗布芯中への液状物の浸透を規制するものであることを特徴とする請求項１に記載の塗布具。
【請求項３】
前記容器は、その収容部を内部とするシリンダーと、このシリンダー内に軸線方向に沿って摺動可能に設けられるピストンと、このピストンを介してシリンダー内の液状物を押し出す押出機構とを備えたことを特徴とする請求項１又は２に記載の塗布具。
【発明の詳細な説明】
【技術分野】
【０００１】
本発明は、例えば内蔵される化粧品たる液状物を使用者が適宜押し出すことを可能とする塗布部材付き容器に用いられる塗布具に関する。
【背景技術】
【０００２】
従来の塗布具としては、例えば液状物が収容される収容部を有する容器と、この容器の先端部によって外側から支持され、収容部内から連通する連通孔であって先端側に向けて延びるものを有する塗布芯とを備えたものが開示されている（例えば、特許文献１参照）。
【特許文献１】登録実用新案第２５１７８６６号公報
【発明の開示】
【発明が解決しようとする課題】
【０００３】
ところで、従来の塗布具にあっては、容器への塗布芯の装着を塗布芯の外部を容器の先端内部によってのみ支持するという技術的手段により行うことから、従来の塗布具に対しては、塗布芯の先端部である塗布部に使用に伴う横方向の力が加わることにより塗布芯がぐらついて不安定となる事態を確実に回避し得ることが要請されている。
そこで、本発明は、塗布芯の塗布部に使用に伴う横方向の力が加わっても塗布芯がぐらついて不安定となる事態を有効に回避できる塗布具を提供することにより、塗布芯付き製品の耐久性の向上ひいては同製品の市場への普及を図ることを目的とする。
【課題を解決するための手段】
【０００４】
上記目的を達成するため、本発明に係る塗布具は、液状物が収容される収容部を有する容器と、この容器の先端内部によって外側から支持され、収容部内から連通する連通孔であって先端側に向けて延びるものを有する塗布芯とを備えた塗布具であって、容器は、後側から先端側に向けて延出され連通孔内に挿嵌された、液状物を誘導するための誘導管を有しており、この誘導管によって塗布芯が後側から支持されていることを特徴としている。
このような塗布具によれば、塗布芯がその外側から容器の先端内部によって支持されているのみならず、その後側から延出された誘導管によっても支持されているので、塗布芯の塗布部に使用に伴う横方向の力が加わっても塗布芯がぐらついて不安定となる事態を有効に回避することが可能となり、塗布芯付き製品の耐久性の向上ひいては同製品の市場への普及を図ることが可能となる。
このような技術的手段において塗布芯がその先端部である塗布部への液状物の供給を連通孔における液状物の移動及び連通孔内から浸透した液状物の塗布芯中における浸透を通じて行う浸透性の塗布芯であるときは、連通孔の内径寸法を調節しないで連通孔内に嵌挿される誘導管の長さ寸法を調節することにより塗布芯を当該液状物の粘度に適合させることとして、同じ内径寸法の連通孔を有する塗布芯で対応し得る液状物の粘度範囲を広くしようとする観点からすれば、連通孔内に嵌挿された誘導管によって連通孔内から塗布芯中への液状物の浸透を規制するものであることが好ましい。
この場合において、塗布芯を当該液状物の粘度に適合させる技術的手段としてシリンダー内の液状物を押し出す圧力を調整する方法をも併有することとして、同じ内径寸法の連通孔を有する塗布芯で対応し得る液状物の粘度範囲をさらに広くしようとする観点からすれば、容器は、その収容部を内部とするシリンダーと、このシリンダー内に軸線方向に沿って摺動可能に設けられるピストンと、このピストンを介してシリンダー内の液状物を押し出す押出機構とを備えたことが好ましい。
【発明の効果】
【０００５】
本発明に係る塗布具によれば、塗布芯の塗布部に使用に伴う横方向の力が加わっても塗布芯がぐらついて不安定となる事態が有効に回避されることになり、その結果、塗布芯付き製品の耐久性の向上ひいては同製品の市場への普及が図られることになる。
【発明を実施するための最良の形態】
【０００６】
以下、添付図面に基づいて本発明の実施の形態を詳細に説明する。
【０００７】
図１は本発明の一実施の形態としての塗布具を表す断面図、図２は同塗布具の外観を表す斜視図、図３は同塗布具のうちパイプホルダーを表す縦断面図、図４は同塗布具のうちスリーブを表す縦断面図、図５は同塗布具の作用を説明するための縦断面図、図６は同塗布具のうちフェルトチップを表す縦断面図、図７は同フェルトチップを表す横斜視図である。
【０００８】
本実施の形態において、塗布具は、図１に示すように、内蔵される液状物たるネイル美容液１０を使用者が適宜押し出して塗布することを可能とする液状化粧料押出容器１と、液状化粧料押出容器１内から押し出されるネイル美容液１０を塗布するための塗布芯たるフェルトチップ２とを備えたものとして構成されている。
以下、これらの各構成要素についてさらに詳細に説明する。
【０００９】
（１）液状化粧料押出容器１
液状化粧料押出容器１は、図１及び図２に示すように、先端内部によってフェルトチップ２を外側から支持する先細りの円筒状のスリーブ１１と、スリーブ１１の後部に対して嵌着される円筒状の本体１２と、本体１２の後部に対して軸線を中心として回転可能に連結される円筒状の操作体１３であって後部に底を有するものとを備えたものとして構成されている。
【００１０】
本実施の形態においては、図１に示すように、液状化粧料押出容器１が、ネイル美容液１０が収容される収容部１０１を有するものとして構成されている。
【００１１】
具体的には、収容部１０１は、同図に示すように、後述するパイプホルダー１２ａの後側部分と、パイプホルダー１２ａの外部に対して水密に連結されることによりスリーブ１１の外部を保持する本体１２と、後述するピストン３２の先端側部分とによって形成されている。
【００１２】
そして、液状化粧料押出容器１は、同図に示すように、その内側に、収容部１０１内に連通する液路１０２ａであって先端側に向けて軸線方向に沿って延びるものを形成する誘導管１０２を有している。
【００１３】
この誘導管１０２は、同図に示すように、後側から先端側に向けて延出され後側から連通孔２３内に嵌挿されたものとして構成されている。すなわち、この誘導管１０２は、フェルトチップ２の後端部から連通孔２３内の途中まで嵌挿されることによってフェルトチップ２を後側から支持する役割を果たしている。
【００１４】
具体的には、誘導管１０２は、図１及び図３に示すように、外部が本体１２の内部に嵌着されたパイプホルダー１２ａの内側においてパイプホルダー１２ａと一体に形成されたものとして構成されている。
【００１５】
液状化粧料押出容器１にフェルトチップ２を後側から支持する誘導管１０２を有することを要求するのは、フェルトチップ２を外側から容器の先端内部によって支持するのみならず、フェルトチップ２を後側から容器の誘導管１０２によって支持することにより、フェルトチップ２の先端部に使用に伴う横方向の力が加わってもフェルトチップ２がぐらついて不安定となる事態を有効に回避し得る塗布具とするためである。したがって、このような役割を果たすものであれば、本発明において誘導管１０２を一体に形成するパイプホルダー１２ａが本体１２内に装着された液状化粧料押出容器１の代わりに、本体１２の内側から先端側に向けて有され、かつ、本体１２と一体に形成された誘導管を有する容器その他の種々の容器を用いることが可能である。
【００１６】
ここで、誘導管１０２は、連通孔２３内からフェルトチップ２中へのネイル美容液１０の浸透を規制する役割をも果たす（図１参照）。すなわち、誘導管１０２は、ネイル美容液１０の浸透路２２内への流入を誘導管１０２が嵌挿されている連通孔２３内においては殆ど生じさせないものとして構成されている（同図及び図７参照）。
【００１７】
液状化粧料押出容器１にかかる役割をも果たす誘導管１０２を有することを要求するのは、フェルトチップ２を当該ネイル美容液１０の粘度に適合させるための技術的手段として、連通孔２３の内径寸法を調節する手段を採用しないで連通孔２３内に嵌挿される誘導管１０２の長さ寸法を調節する手段を採用することにより、同じフェルトチップで対応し得るネイル美容液の粘度範囲を相当に広くすることが可能な塗布具とするためである。したがって、このような役割を果たすものであれば、本発明において液状化粧料押出容器１の代わりにチューブタイプの容器、ボトルタイプの容器その他の種々の容器を用いることが可能である。
【００１８】
なお、図４に示すように、スリーブ１１には、その内部から内側に向けて突出するとともに先細りの先端部に向けて軸線方向に沿って延びる突条１１ａが周方向に沿って複数設けられており、このスリーブ１１の突条１１ａによってフェルトチップ２が外側から支持されている。
【００１９】
本実施の形態において、液状化粧料押出容器１は、図１に示すように、その収容部１０１を内部とするシリンダー３１と、このシリンダー３１内に軸線方向に沿って摺動可能に設けられるピストン３２と、このピストン３２を介してシリンダー３１内のネイル美容液１０を押し出す押出機構３３とを備えている。
【００２０】
このような液状化粧料押出容器１によれば、当該ネイル美容液１０の粘度に対する最適化を行う技術的手段として、誘導管１０２の嵌挿されていない連通孔２３の部分の長さ寸法を調整する方法のみならず、シリンダー３１内のネイル美容液１０を押し出す圧力を調整する方法をも併有することが可能となっており、その結果、同じフェルトチップで対応し得るネイル美容液の粘度範囲をさらに広くすることが可能となっている。
【００２１】
具体的には、押出機構３３は、同図に示すように、外周に雄螺子が形成される円筒状の移動体４１と、移動体４１の雄螺子と螺合する雌螺子が内周の途中部分に形成される筒状の本体４２と、本体４２の後端部に対して軸線を中心として回転可能に連結され、後端に有する底から先端側に向けて突出して設けられた軸体４３ｂであって雌螺子に螺合した移動体４１が回転不能かつ長さ方向に摺動自在に嵌め込まれるものを有する筒状の操作体４３と、移動体４１の後方向への移動を規制するためのラチェット４４とを備えており、本体４２と操作体４３とを相対回転させることにより移動体４１を順次繰り出すことが可能となっている。
【００２２】
なお、ここで、雄螺子には、外側表面に間欠的に配される突起群又は外側表面に螺旋状かつ間欠的に配される突起群であってねじ山と同様な働きをするものを含む。また、雌螺子には、内側表面に間欠的に配される突起群又は内側表面に螺旋状かつ間欠的に配される突起群であってねじ山と同様な働きをするものを含む。
【００２３】
具体的には、本体４２は、同図に示すように、操作筒４３ａによって軸線を中心として回転可能に連結された本体筒４２ａと、本体筒４２ａ内の途中部分に嵌着された内部に雌螺子が設けられる筒状体４２ｂとからなっている。
【００２４】
また、操作体４３は、同図に示すように、本体筒４２ａの後部に対して軸線を中心として回転可能に連結される操作筒４３ａと、後側から移動体４１内に回転不能かつ長さ方向に摺動自在に挿入されている軸体４３ｂとからなっている。
【００２５】
さらに、ラチェット４４は、同図に示すように、操作筒４３ａ内に回転不能に組み込まれるラチェット筒４４ａと、筒状体４２ｂに設けられたラチェット歯とラチェット筒４４ａに設けられたラチェット歯とからなる一対のラチェット歯４４ｂと、ラチェット筒４４ａと操作筒４３ａ内部との間に挟み付けられ、ラチェット筒４４ａを筒状体４２ｂに付勢するためのラチェットバネ４４ｃとを備えている。
【００２６】
一方、ピストン３２は、円板形状を成しており、移動体４１の先端部に結合され、本体筒４２ａ内に水密に挿嵌されることで長さ方向に摺動することを可能とされている（同図参照）。
【００２７】
すなわち、このようなピストン３２にあっては、使用者が本体４２と操作体４３とを相対回転させることにより順次繰り出される移動体４１とともに順次押し出されることが可能とされており、これによりネイル美容液１０を収容部１０１内から誘導管１０２の液路１０２ａ内に向けて押し出すことが可能となっている（図５参照）。
【００２８】
（２）フェルトチップ２
フェルトチップ２は、図１に示すように、液状化粧料押出容器１の先端内部によって外側から支持されることにより、液状化粧料押出容器１に取り付けられたものとして構成されている。
【００２９】
具体的には、フェルトチップ２は、同図に示すように、収容部１０１内から連通する連通孔２３であって先端側に向けて延びるものを有している。
【００３０】
ここで、同図に示すように、このフェルトチップ２の連通孔内２３には、液状化粧料押出容器１の内部から先端側に向けて延出された誘導管１０２が後側から嵌挿されており、この誘導管１０２によってフェルトチップ２が後側から支持されている。
【００３１】
フェルトチップ２に液状化粧料押出容器１の誘導管１０２によって後側から支持されることを要求するのは、フェルトチップ２を外側から容器の先端内部によって支持するのみならず、フェルトチップ２を後側からも容器の誘導管１０２によって支持することにより、フェルトチップ２の塗布部２１に使用に伴う横方向の力が加わってもフェルトチップ２がぐらついて不安定となる事態を有効に回避し得る塗布具とするためである。したがって、このような役割を果たすものであれば、本発明においてフェルトチップ２の代わりに、繊維若しくはフェルト又はこれらに類似する多孔質若しくは毛状の材料からなる塗布芯以外の浸透性を有しない塗布芯を用いることが可能である。
【００３２】
具体的には、フェルトチップ２は、図１、図６及び図７に示すように、ネイル美容液１０を塗布するための塗布部２１と、後端部から塗布部２１までネイル美容液１０を浸透により供給する多数の浸透路２２で微細な空隙からなるものとを有している。
【００３３】
なお、このフェルトチップ２としては、羊毛製のフェルトの他、化学繊維フェルト、耐熱繊維フェルト、ニードルフェルト、樹脂加工フェルト、成型フェルトなどの公知のフェルト材料の他、本発明における機能を発揮し得る材料の中から適宜選定して差し支えない。
【００３４】
具体的には、フェルトチップ２は、これらの図に示すように、その後端部から先端側に向けて軸線方向に沿って延び、かつ、内側にネイル美容液１０を保持する連通孔２３であって連通孔２３内のネイル美容液１０を浸透路２２内にその途中から流入させるものを有している。すなわち、フェルトチップ２は、その先端部である塗布部１２へのネイル美容液１０の供給を連通孔２３におけるネイル美容液１０の移動及び連通孔２３内から浸透したネイル美容液１０のフェルトチップ２中における浸透を通じて行う浸透性を有するものとして構成されている。
【００３５】
ここで、連通孔２３内に管嵌された誘導管１０２によって連通孔２３内からフェルトチップ２中へのネイル美容液１０の浸透が規制されている（図１参照）。すなわち、フェルトチップ２は、連通孔２３内の後端位置から途中位置までが誘導管１０２によって嵌挿される管嵌挿区間とされており、当該管嵌挿区間における連通孔２３内から浸透路２２内へのネイル美容液１０の流入が規制されている（同図参照）。
【００３６】
換言すれば、このようなフェルトチップ２にあっては、内側に保持するネイル美容液１０を浸透路２２内にその途中から流入させる役割を果たす連通孔２３を有しているが、連通孔２３内の途中まで誘導管１０２が嵌挿されることによってネイル美容液１０の浸透路２２内への流入を誘導管１０２が嵌挿されている連通孔２３内では生じさせないようになっている（同図参照）。
【００３７】
このフェルトチップ２の連通孔２３に途中まで誘導管１０２が嵌挿されることを要求するのは、フェルトチップ２を当該ネイル美容液１０の粘度に適合させるための技術的手段として、連通孔２３の内径寸法を調節する手段を採用しないで連通孔２３内に嵌挿される誘導管１０２の長さ寸法を調節する手段を採用することにより、同じフェルトチップで対応し得るネイル美容液の粘度範囲を相当に広くすることが可能な塗布具とするためである。したがって、このような役割を果たすものであれば、本実施の形態においてフェルトチップ２の代わりに繊維若しくはフェルト又はこれらに類似する多孔質若しくは毛状の材料からなる浸透性を有する塗布芯を用いることが可能である。
【００３８】
上記したように、本実施の形態における塗布具によれば、フェルトチップ２がその外側から液状化粧料押出容器１の先端内部によって支持されているのみならず、その後側からも延出された誘導管１０２によって支持されているので、フェルトチップ２の塗布部２１に使用に伴う横方向の力が加わってもフェルトチップ２がぐらついて不安定となる事態を有効に回避することが可能となっており、塗布芯付き製品の耐久性の向上ひいては同製品の市場への普及を図ることが可能となっている。
【００３９】
以上、本実施の形態においては、化粧品としてのネイル美容液に適用する場合について説明したが、本発明は、このような実施の形態に限定されるものではない。例えばコンシーラー、アイシャドウ等に適用してもよいし、その他美容液に適用してもよい。また、化粧品に限定されず、筆記用のインク、医薬品としての液状物その他の物品に広く適用可能である。
【図面の簡単な説明】
【００４０】
【図１】本発明の一実施の形態としての塗布具を表す断面図である。
【図２】同塗布具の外観を表す斜視図である。
【図３】同塗布具のうちパイプホルダーを表す縦断面図である。
【図４】同塗布具のうちスリーブを表す縦断面図である。
【図５】同塗布具の作用を説明するための縦断面図である。
【図６】同塗布具のうちフェルトチップを表す縦断面図である。
【図７】同フェルトチップを表す横斜視図である。
【符号の説明】
【００４１】
１ 液状化粧料押出容器
２ フェルトチップ
１１ スリーブ
１１ａ 突条
１２ 本体
１３ 操作体
２１ 塗布部
２２ 浸透路
２３ 連通孔
３１ シリンダー
３２ ピストン
３３ 押出機構
４１ 移動体
４２ 本体
４２ａ 本体筒
４２ｂ 筒状体
４３ 操作体
４３ａ 操作筒
４３ｂ 軸体
４４ ラチェット
４４ａ ラチェット筒
４４ｂ 一対のラチェット歯
４４ｃ ラチェットバネ
１０１ 収容部
１０２ 誘導管
１０２ａ 液路
【図１】
2006068297.tif 000003
【図２】
2006068297.tif 000004
【図３】
2006068297.tif 000005
【図４】
2006068297.tif 000006
【図５】
2006068297.tif 000007
【図６】
2006068297.tif 000008
【図７】
2006068297.tif 000009